(57)【要約】【課題】容器口部からの離脱時の汚損、紛失や、開栓・閉栓のための着脱作業の繰り返しの煩わしさを無くすことができ、使用性の面で向上を図ることが可能である上、原料費を増大させることなく、しかも既存の設備をほぼそのまま用いて製造することができるピルファープルーフキャップおよびこれを備えた容器を提供すること。【解決手段】蓋天板３およびこの蓋天板３の周縁から垂下する周壁４を有し、この周壁４の内周面に容器口部１の雄ねじ５と螺合する雌ねじ６が設けられた蓋本体２と、この蓋本体２の周壁４の下方にブリッジ１３を介して連接され、容器口部１に周設されたビード部１７に係止するピルファープルーフバンド１４とを備え、容器口部１から螺脱された蓋本体２の周壁下端部４ａの一部が、ピルファープルーフバンド１４に設けられた係合部１９に係脱可能に構成されている。【選択図】図１
2006341924.tif 000002
【特許請求の範囲】
【請求項１】
蓋天板およびこの蓋天板の周縁から垂下する周壁を有し、この周壁の内周面に容器口部の雄ねじと螺合する雌ねじが設けられた蓋本体と、この蓋本体の周壁の下方にブリッジを介して連接され、容器口部に周設されたビード部に係止するピルファープルーフバンドとを備え、容器口部から螺脱された蓋本体の周壁下端部の一部が、ピルファープルーフバンドに設けられた係合部に係脱可能に構成されていることを特徴とするピルファープルーフキャップ。
【請求項２】
前記係合部が、ピルファープルーフバンドに窪みまたは切り欠きを設けることによって構成されている請求項１に記載のピルファープルーフキャップ。
【請求項３】
前記係合部が、ピルファープルーフバンドの一部を薄肉状とすることによって形成され、かつ、前記蓋本体が係合する際に破断するように構成されている請求項１に記載のピルファープルーフキャップ。
【請求項４】
前記係合部が、ピルファープルーフバンドの上端部に設けられている請求項１〜３のいずれかに記載のピルファープルーフキャップ。
【請求項５】
前記係合部が、ピルファープルーフバンドの側面中央部に設けられ、かつ、その下部周縁から上方に延びる突起または上部周縁から下方に延びる突起を有している請求項１〜３のいずれかに記載のピルファープルーフキャップ。
【請求項６】
前記係合部が上に凸または下に凸の突起を有し、他方、前記蓋本体の周壁の下部内側には、前記突起に係止する環状の溝または突条が設けられている請求項１に記載のピルファープルーフキャップ。
【請求項７】
請求項１〜６のいずれかに記載のピルファープルーフキャップを備えている容器。
【発明の詳細な説明】
【技術分野】
【０００１】
本発明は、例えば、ペット（ＰＥＴ）ボトルやガラスびん、金属製のボトル缶等の飲料用などの容器に用いられる例えばプラスチック製または金属（アルミニウム等）製のピルファープルーフキャップおよびこれを備えた容器に関する。
【背景技術】
【０００２】
例えば飲料用容器が開栓状態とされその内容物が飲用または注出される際、容器口部から離脱（螺脱）されたキャップは飲用者または注出者の手で保持されたり傍らに置かれたりすることが多い。しかし、前記キャップは比較的小さい上に転がり易い形状であることから、飲用者等の不注意がキャップの転落さらには汚損、紛失につながりやすく、キャップの汚損時、紛失時には内容物に異物が混入したり飲料用容器の閉栓や持ち運びに支障が生じたりするおそれもある。
【０００３】
そこで、上記のような問題を解決する発明が提案されている。具体的には、特許文献１には、ペットボトルの首部に、着脱自在に、かつ、回転可能に取付けられる取付部を設け、この取付部とキャップを保持する保持部とを連係可撓部によって連係するペットボトルキャップ保持具が記載されている。また、特許文献２には、キャップ本体に係合突起を設けると共に、回動可能な状態で容器口部からの抜け出しが防止されたリングに前記係合突起と係合する連結板を設けたキャップが記載されている。さらに、特許文献３には、キャップとボトルとの間に設けられ両者を連結する連結シート部材が記載されている。そして、特許文献１〜３に記載された発明によれば、キャップの紛失等を防止することができる。
【特許文献１】特開２００１−７２１２０号公報
【特許文献２】特開平１１−７０９６６号公報
【特許文献３】特開２００３−３３７９２１号公報
【発明の開示】
【発明が解決しようとする課題】
【０００４】
しかし、特許文献１に記載されたペットボトルキャップ保持具を有する飲料用容器では、従来の飲料用容器にはない連係可撓部を余分に設ける必要があり、その分原料費が増大する上、従来の飲料用容器の成形工程を大幅に変更しなければならず、非常にコスト高となる。また、前記保持具を設けた飲料用容器では、形状が従来の飲料用容器とは異なるために、その充填工程・キャッピング工程においても従来設備を使用できない可能性が高い。さらに、内容物の飲用時や注出時、キャップの着脱時などに前記連係可撓部が邪魔になるという問題もある。
【０００５】
また、特許文献２に記載されたキャップを有する飲料用容器についても、従来の飲料用容器にはない係合突起および連結板を余分に有することが原因となり、上述した問題が同様に生じることとなる。
【０００６】
さらに、特許文献３に記載された連結シート部材を有する飲料用容器では、前記連結シート部材が従来の飲料用容器にはない別の部材であるため、新たな成形工程の構築が別途必要となり、しかも連結シート部材の製造コストが従来の飲料用容器の製造コストに加わることから、非常に高価となる。その上、前記連結シート部材を飲料用容器と併せて包装する必要があり、このためにも従来にはない全く新しい工程を用意しなければならない可能性がある。加えて、内容物の飲用時や注出時、キャップの着脱時などに前記連結シート部材が邪魔になり、使用性の面でも課題がある点は、上記二つの飲料用容器と同様である。
【０００７】
本発明は上述の事柄に留意してなされたもので、その目的は、容器口部からの離脱時の汚損、紛失や、開栓・閉栓のための着脱作業の繰り返しの煩わしさを無くすことができ、使用性の面で向上を図ることが可能である上、原料費を増大させることなく、しかも既存の設備をほぼそのまま用いて製造することができるピルファープルーフキャップおよびこれを備えた容器を提供することである。
【課題を解決するための手段】
【０００８】
上記目的を達成するために、本発明のピルファープルーフキャップは、蓋天板およびこの蓋天板の周縁から垂下する周壁を有し、この周壁の内周面に容器口部の雄ねじと螺合する雌ねじが設けられた蓋本体と、この蓋本体の周壁の下方にブリッジを介して連接され、容器口部に周設されたビード部に係止するピルファープルーフバンドとを備え、容器口部から螺脱された蓋本体の周壁下端部の一部が、ピルファープルーフバンドに設けられた係合部に係脱可能に構成されていることを特徴としている（請求項１）。
【０００９】
上記ピルファープルーフキャップにおいて、前記係合部が、ピルファープルーフバンドに窪みまたは切り欠きを設けることによって構成されていてもよい（請求項２）。
【００１０】
また、上記ピルファープルーフキャップにおいて、前記係合部が、ピルファープルーフバンドの一部を薄肉状とすることによって形成され、かつ、前記蓋本体が係合する際に破断するように構成されていてもよい（請求項３）。
【００１１】
また、上記ピルファープルーフキャップにおいて、前記係合部が、ピルファープルーフバンドの上端部に設けられていてもよい（請求項４）。
【００１２】
さらに、上記ピルファープルーフキャップにおいて、前記係合部がピルファープルーフバンドの側面中央部に設けられ、かつ、この係合部の下部周縁から上方に延びる突起または上部周縁から下方に延びる突起を有していてもよい（請求項５）。
【００１３】
また、上記ピルファープルーフキャップにおいて、前記係合部が上に凸または下に凸の突起を有し、他方、前記蓋本体の周壁の下部内側には、前記突起に係止する環状の溝または突条が設けられていてもよい（請求項６）。
【００１４】
一方、本発明の容器は、請求項１〜６のいずれかに記載のピルファープルーフキャップを備えている点に特徴を有している（請求項７）。
【発明の効果】
【００１５】
請求項１に係る発明によれば、容器口部からの離脱時の汚損、紛失や、開栓・閉栓のための着脱作業の繰り返しの煩わしさを無くすことができ、使用性の面で向上を図ることが可能である上、原料費を増大させることなく、しかも既存の設備の多くをほぼそのまま用いて製造することができるという効果を有するピルファープルーフキャップが得られる。
【００１６】
すなわち、請求項１に係る発明では、前記容器口部から離脱された蓋本体が係脱可能な係合部をピルファープルーフバンドに設けてあるので、飲用時や注出時などに容器口部から外した蓋本体を係合部に係合させて仮置きすることができる。そのため、この仮置きを利用すれば、前記蓋本体を不注意により床等に落下させてしまって汚損したり紛失したりすることを大いに減らすことができ、飲用・注出する都度、蓋本体を着脱する煩わしさを無くすこともできる。また、蓋本体の周壁下端部の一部をピルファープルーフバンドの係合部に係合させるので、蓋本体に突起や別の部材等を設ける必要がなく、従って、蓋本体は従来のピルファープルーフキャップの蓋本体と同一形状とすることができる。そのため、原料費を増大させることもなく、既存の設備の多くをほぼそのまま用いることができる。
【００１７】
また、請求項２および３に係る発明では、従来から用いられているピルファープルーフバンドの一部を窪ませたまたは切り欠いた形状とすることができるので、上記効果に加えて、より一層原料費を増大させることなく、しかも既存の設備をほぼそのまま用いて製造することができるという効果を有するピルファープルーフキャップが得られる。その上、このピルファープルーフキャップは、容器の内容物の飲用時や注出時、キャップの着脱時などにその動作を邪魔する部材を有していないので、使用性の面でも向上を図ることができ、ひいては飲料用容器の販売促進にも貢献する。すなわち、もし前記係合部が邪魔になる場合、蓋本体の仮置きを全く利用しない者にとってその係合部は不快感を与える存在にしかならず、このことが飲料用容器の販売を阻害する要因となるおそれもあったが、本発明のキャップではそのようなことが起こらず、誰であっても係合部を気にせずに飲用等することができるので、キャップによって飲料用容器の販売が阻害されることがない。
【００１８】
さらに、請求項４に係る発明では、上記効果に加えて、容易に製造することができるという効果を有するピルファープルーフキャップが得られる一方、請求項５に係る発明では、上記効果に加えて、係合部に対する蓋本体の係合をより良好に行うことができるという効果を有するピルファープルーフキャップが得られる。そして、請求項６に係る発明では、環状の溝または突条を設けることにより、係合部に対する蓋本体の係合がさらに安定性良くかつ確実に行われることになる。
【００１９】
また、請求項７に係る発明によれば、上述した好ましい効果を有するキャップを備えた容器が得られる。
【発明を実施するための最良の形態】
【００２０】
図１は、容器口部１に装着された状態の本発明の一実施の形態に係るピルファープルーフキャップ（以下、キャップという）の構成を概略的に示す斜視図、図２は図１の半截正面図、図３は図１に示すキャップのＡ−Ａ線断面図である。まず、図１〜図３に示すように、この実施の形態に係るキャップは蓋本体２を備え、この蓋本体２は、平面視ほぼ円形状で蓋天板３と、この蓋天板３の周縁から垂下する周壁４とを有し、容器口部１を覆うことができるように構成されている。また、図２に示すように、前記周壁４の内周面には容器口部１の雄ねじ５と螺合する雌ねじ６が設けられており、これにより、蓋本体２は容器口部１に着脱自在に取り付けられる構造となっている。
【００２１】
さらに、図２および図３に示すように、前記蓋本体２の内側上部には、容器口部１を密封可能なパッキン７が設けられている。このパッキン７は、容器口部１の上端面に外周縁が密接可能なパッキン天板８と、このパッキン天板８から垂下し、容器口部１内に嵌入される環状の中足９と有している。また、前記パッキン天板８の外周端部は下方に折り曲がっており、この折れ曲がった環状部分は容器口部１の上端部外周面に密接可能なトップサイドシール部１０となっている。
【００２２】
ここで、前記中足９は自然状態（図３参照）ではその中央部が外向きに膨出するように構成されており、図２に示すように容器口部１内に嵌入された状態では容器口部１をほぼ完全に密閉する。また、パッキン天板８は、その外周縁に沿うように設けられた環状の凹入部１１を上面に有しており、図２に示す閉栓状態にある蓋本体２の内壁に押圧されると、前記トップサイドシール部１０が容器口部１の上端部外周面に密接するのに適した弾性変形をする形状となっている。従って、容器口部１は、閉栓状態では、容器口部１の上端面および蓋本体２の蓋天板３の間に挟着されるパッキン天板８と、中足９と、トップサイドシール部１０とに基づく多重のシール構造によって良好にシールされ、これにより、容器内の気密性が高く維持されることとなる。
【００２３】
そして、前記パッキン７は、蓋本体２が容器口部１から螺脱されるときに、その周縁部が蓋本体２の内壁上部に設けられたパッキン案内部１２によって持ち上げられ、保持される。なお、このパッキン案内部１２は、前記雌ねじ６の一部分として形成されていてもよいし、雌ねじ６とは別に設けられていてもよい。また、前記パッキン７は蓋本体２の内側上部に固定されていてもよいし、蓋本体２と別体ではなく一体に設けられていてもよく、これらの場合には、前記パッキン案内部１２は不要となる。
【００２４】
また、図３に示すように、前記蓋本体２の周壁４の下端部（フランジ部）４ａは肉厚で側方に膨出する形状となっており、前記下端部４ａの下方に、下端部４ａに沿って周方向に所定間隔で設けられた複数のブリッジ１３を介してピルファープルーフバンド（以下、バンドという）１４が連接されている。
【００２５】
さらに、図２および図３に示すように、前記バンド１４の内面下端側には、その内方に折り返された（折曲された）状態の係止部材１６が連接されており、この係止部材１６は蛇腹のリング状に形成され、かつ、適宜の弾性を有し拡径方向に弾性変形可能となっている。また、前記係止部材１６は、容器口部１の外周面において、前記雄ねじ５の下方に周設されたビード部１７にその上端が係止するように構成されている。
【００２６】
ここで、前記キャップは、蓋本体２、パッキン７、バンド１４および係止部材１６を一体的に備えた状態で容器口部１に装着され、その装着途中において、前記係止部材１６は拡径方向に変形し、容器口部１に設けられた雄ねじ６およびビード部１７を乗り越える。そして、キャップの装着が完了した時点で係止部材１６は初期の姿勢に弾性復帰し、その上端がビード部１７に下方から係止することにより、キャップは自動的に容器口部１に一体化される。
【００２７】
また、上記装着後のキャップにおいて蓋本体２が最初に容器口部１から螺脱（離脱）されるとき、すなわち、最初の開栓時に、前記ブリッジ１３が切断され、ビード部１７に係止する係止部材１６とともにバンド１４は容器口部１に残留することになる。ここで、前記容器口部１におけるビード部１７の下方には、バンド１４の外径とほぼ同じかそれよりも径の大きい環状のサポートリング１８が周設されており、前記残留状態となったバンド１４および係止部材１６は、前記ビード部１７とサポートリング１８との間に保持されることとなる。
【００２８】
そして、前記キャップは、図１〜図３に示すように、前記バンド１４に係合部１９を有し、前記容器口部１から螺脱された蓋本体２がこの係合部１９に係脱可能となっている。詳述すると、前記係合部１９は、バンド１４の上端部に切り欠き（貫通部分）を設けることによって構成されている。この実施形態では、係合部１９は、バンド１４の上端部に適宜の間隔をおいて二つの切り欠き部２０、２１を設けると共に、二つの切り欠き部２０、２１の間に、これらの切り欠き部２０，２１よりも上下方向の幅が小さい切り欠き部２２を設けることによって形成されている。なお、前記係合部１９は切り欠きであるため、係合部１９からバンド１４の内側にある係止部材１６等が覗くが、図１ではその図示を省略してある。
【００２９】
図４および図５は、蓋本体２を係合部１９に係合させた状態のキャップの構成を概略的に示す正面図および縦断面図であり、これらの図に示すように、容器口部１から螺脱された蓋本体２の周壁４の下端部４ａの一部を係合部１９に係合させることにより、蓋本体２を仮置きすることができる。ここで、前記係合部１９は、図７に示すように、バンド１４の上端部を薄肉状（薄膜状）とすることで設けられた窪みによって構成されていてもよく、この場合には、前記下端部４ａの一部を係合部１９に最初に係合させるときに薄肉状の係合部１９は破断することとなる。
【００３０】
そして、蓋本体２の周壁４と係合部１９との上記係合時には、前記蓋本体２の周壁４の下端部４ａは、図５に示すように、係合部１９と前記ビード部１７とによって挟持され、しかも前記係合部１９が設けられたバンド１４はサポートリング１８に当接して固定された状態となるので、前記挟持は良好かつ確実に行われることとなる。また、図４および図５に示すように、係合部１９に係合した蓋本体２は斜めに傾き、かつその内側の空間がほぼ下方にのみ開放された状態となる。従って、この状態では、蓋本体２内に塵や埃等が堆積しにくく、蓋本体２は衛生的に保持されることとなる。
【００３１】
なお、この発明は、上記実施形態に限られず、種々に変形して実施することができる。例えば、前記キャップが用いられる容器は、飲料用容器に限られず、飲料ではない液体などの収容に用いられる容器であってもよい。
【００３２】
また、前記キャップは、パッキン７を有するものに限られず、例えば、パッキン７に代えて蓋本体２と一体のライナー（容器口部１内に挿入される中足を持たず容器口部１の上面に当接して閉塞する構造のもの）を有するものでもよく、パッキン７を有していない代わりに蓋本体２にパッキン７の中足９に相当する部分を設けてあるものであってもよい。
【００３３】
さらに、前記係止部材１６は蛇腹のリング状に形成されているものに限られない。
【００３４】
また、前記係合部１９は一つのみではなく複数設けられていてもよい。
【００３５】
また、図６（Ａ）に示すように、二つの切り欠き部２０，２１のみによって係合部１９を構成してもよい。この場合、図６（Ｂ）に示すように、前記切り欠き部２０，２１がほぼスリット状となっていてもよい。後者の構成は特に、キャップの蓋本体２が金属製であり、周壁４が極めて薄く形成されている場合などに適している。
【００３６】
また、例えば、図６（Ｃ）に示すように、前記係合部１９がバンド１４の側面中央部に切り欠きを設けることによって構成されていてもよい。この場合、係合部１９は、図６（Ｄ）および（Ｅ）に示すように、その下部周縁のほぼ中央から上方に延びる突起２３を残した状態で切り欠かれた形状となっていてもよく、突起２３の形状としては、山形状（図６（Ｄ）参照）、角形状（図６（Ｅ）参照）など種々の形状が挙げられる。そして、図６（Ｄ）および（Ｅ）に示すように、係合部１９が突起２３を有する場合には、係合部１９に係合させた蓋本体２がより外れにくくなり、好適である。
【００３７】
ここで、上述のように、バンド１４の側面中央部に切り欠きおよび突起２３を設けることによって前記係合部１９を構成する場合、この係合部１９に挿入される前記周壁４に対して不要な力がかかることを防止するために、図６（Ｆ）に示すように、前記切り欠きおよび突起２３の角を丸めておくことが望ましい。
【００３８】
また、前記係合部１９は、バンド１４の一部を完全に除去した切り欠きを設けることによって構成されているものに限られず、例えば、図７に示すように、バンド１４の一部を薄肉状（薄膜状）として窪みを設けることによって構成されていてもよい。すなわち、上述したように、バンド１４の側壁の一部を貫通させたまたは切り落とした形状、すなわち切り欠き形状として係合部１４を構成すれば、係合部１９に対する蓋本体２の周壁４の最初の係合時に係合部１９を破断させる等の必要がなく、成形上又は加工上容易に係合部１９を形成することができる。一方、係合部１９を薄肉状としておけば、容器口部１の一部が係合部１９を介して外部に晒されることを確実に防止でき、衛生面でより好ましい効果が得られる。
【００３９】
また、前記係合部１９は、前記バンド１４に設けられた切り欠きまたは窪みには、例えばバンド１４に設けられた貫通孔、溝または切り落とし形状部分からなるのものの他、その内部に突起等を有するもの等種々の形状のものも含まれ、さらにはこれらを適当に組み合わせて構成されているものも含まれる。
【００４０】
また、図１〜図５に示す実施形態の係合部１９は、ほぼ水平に延びていてもよいが、蓋本体２の周壁４の下端部４ａの一部が円弧状であるのに対応させて上に凸の円弧状となっていてもよい。
【００４１】
また、図６（Ｃ）〜（Ｆ）に示す係合部１９は、ほぼ水平に延びているが、蓋本体２の周壁４の下端部４ａの一部が円弧状であるのに対応させて上に凸の円弧状または下に凸の円弧状となっていてもよい。なお、蓋本体２をその内側の空間がほぼ下方にのみ開放された状態となる向き（図４および図５に示す向き）で係合部１９に係合させる場合には、係合部１９を上に凸の円弧状とするのが適しており、反対に、蓋本体２をその内側の空間がほぼ上方にのみ開放された状態となる向き（図４、図５に示す向きに対して上下逆となる向き）で係合部１９に係合させる場合には、係合部１９を下に凸の円弧状とするのが適している。これに伴い、係合部１９に突起２３を設ける場合、下に凸の円弧状をした係合部１９については、係合部１９の下部周縁のほぼ中央から上方に延びるように前記突起２３を設けることが望ましく、上に凸の円弧状をした係合部１９については、係合部１９の上部周縁のほぼ中央から下方に延びるように前記突起２３を設けることが望ましい。
【００４２】
また、係合部１９として図６（Ｆ）に示す突起２３を有する係合部１９を設ける場合、図８（この図には開封後の蓋本体２のみを示し、バンド１４は省略している）に示すように、前記蓋本体２の周壁４の下部内側に環状の溝２４を設ければ、係合部１９に対する周壁４の係止をより良好に行うことができる。すなわち、この場合、図９（Ａ）および（Ｂ）に示すように、前記係合部１９に周壁４の下端部４ａを係止させた状態では、前記係合部１９に設けられた上に凸の突起２３が溝２４に係止することになるので、周壁４と係合部１９との係合がより安定性良くかつ確実に行われることになる。
【００４３】
そして、このことは、図１０（Ａ）および（Ｂ）に示すように、蓋本体２の周壁４の下部内側に環状の突条２５を設けた場合にも同様である。すなわち、突条２５を設けた場合には、図１０（Ｂ）に示すように、前記係合部１９に周壁４の下端部４ａを係止させた状態では、前記係合部１９に設けられた上に凸の突起２３が突条２５に係止することになるので、周壁４と係合部１９との係合がより安定性良くかつ確実に行われることになる。
【００４４】
ここで、前記溝２４または突条２５を有する周壁４を係合させる係合部１９としては、上述のように前記切り欠きおよび突起２３の角が丸められている図６（Ｆ）に示す係合部１９が最も適しているが、これに限られず、上に凸または下に凸の突起を有する前記係合部１９であれば、前記溝２４または突条２５を有する周壁４を良好に係合させることができる。そのような係合部１９としては、図６（Ｆ）に示す係合部１９の他に、例えば、図１および図２に示す係合部１９（切り欠き部２２が上に凸の突起に相当）、図６（Ａ）、（Ｂ）に示す係合部１９（二つの切り欠き部２０，２１の間の部分が上に凸の突起に相当）、図６（Ｄ），（Ｅ）に示す係合部１９（突起２３が上に凸の突起に相当）を挙げることができる。
【００４５】
上記の構成からなるキャップでは、その外観上の形態が従来のキャップと殆ど変わらず、特に、外部に突出する突起等が新たに設けられていないので、例えば充填工程、キャッピング工程において、従来（既存）のキャップ（容器）製造用の設備をそのまま使用することができる。また、容器の開栓、閉栓などの操作時に、消費者は上記キャップを従来のキャップと同様に扱うことができる。
【図面の簡単な説明】
【００４６】
【図１】容器口部に装着された状態の本発明の一実施の形態に係るピルファープルーフキャップの構成を概略的に示す斜視図である。
【図２】図２の半截正面図である。
【図３】図１に示すピルファープルーフキャップのＡ−Ａ線断面図である。
【図４】蓋本体を係合部に係合させた状態の前記ピルファープルーフキャップの構成を概略的に示す正面図である。
【図５】図３の縦断面図である。
【図６】（Ａ）〜（Ｆ）は、前記ピルファープルーフキャップの係合部の変形例の構成を概略的に示す正面図である。
【図７】前記ピルファープルーフキャップの係合部の他の変形例の構成を概略的に示す縦断面図である。
【図８】前記ピルファープルーフキャップの周壁の変形例の構成を概略的に示す縦断面図である。
【図９】（Ａ）および（Ｂ）は、係合部に対する係止前および係合後の図８に示す周壁の構成を概略的に示す縦断面図である。
【図１０】前記ピルファープルーフキャップの周壁の他の変形例の構成を概略的に示す縦断面図である。
【符号の説明】
【００４７】
１    容器口部
２    蓋本体
３    蓋天板
４    周壁
４ａ  周壁下端部
５    雄ねじ
６    雌ねじ
１３    ブリッジ
１４    ピルファープルーフバンド
１７    ビード部
１９    係合部
【図１】
2006341924.tif 000003
【図２】
2006341924.tif 000004
【図３】
2006341924.tif 000005
【図４】
2006341924.tif 000006
【図５】
2006341924.tif 000007
【図６】
2006341924.tif 000008
【図７】
2006341924.tif 000009
【図８】
2006341924.tif 000010
【図９】
2006341924.tif 000011
【図１０】
2006341924.tif 000012